(57)【特許請求の範囲】
【請求項１】
車輪と共に回転するブレーキディスクの一部を収容するキャリパと、ブレーキペダルが操作されると前記キャリパの内部に前記ブレーキディスクの両面をそれぞれ加圧するように設けられるブレーキパッドと、を備えた車両のブレーキにおいて、前記キャリパの内部に設けられ、前記ブレーキパッドが離隔するように弾性力を提供するパッドライナであって、
前記パッドライナは、前記パッドライナから傾斜した状態で延びて形成され、前記ブレーキペダルの操作が完了すると、前記ブレーキパッドを前記ブレーキディスクから離隔するように、前記ブレーキパッドの端部に傾斜して接する弾性部を含み、
前記パッドライナは、本体と、前記本体から延びて形成され、前記本体と離隔して配置される延長部と、を有し、
前記弾性部は、前記延長部に形成され、
前記本体の上端と前記延長部の上端とを連結する連結部が設けられることを特徴とするドラッグが縮小するブレーキキャリパ用パッドライナ。
【請求項２】
前記延長部は、
前記連結部において前記パッドライナの長手方向の両端に隣接した部位にそれぞれ形成されることを特徴とする請求項１に記載のドラッグが縮小するブレーキキャリパ用パッドライナ。
【請求項３】
前記弾性部は、前記延長部から前記延長部と定められた角度で傾斜して形成されることを特徴とする請求項１に記載のドラッグが縮小するブレーキキャリパ用パッドライナ。
【請求項４】
前記弾性部は、
前記延長部において前記パッドライナの外側から内側にいくほど、前記延長部とさらに離隔するように傾斜して形成されることを特徴とする請求項３に記載のドラッグが縮小するブレーキキャリパ用パッドライナ。
【請求項５】
前記弾性部は、
前記延長部を前記パッドライナの幅方向に切開して形成されることを特徴とする請求項４に記載のドラッグが縮小するブレーキキャリパ用パッドライナ。
【請求項６】
前記弾性部は、
前記延長部の中間に「Ｕ」字状の溝を形成し、その中心部分を傾斜するように曲げて形成されることを特徴とする請求項５に記載のドラッグが縮小するブレーキキャリパ用パッドライナ。
【請求項７】
前記延長部は、前記延長部の上端から前記延長部の下端に向かって、前記本体と定められた間隔で離隔して設けられることを特徴とする請求項１に記載のドラッグが縮小するブレーキキャリパ用パッドライナ。
【請求項８】
前記延長部は、
前記延長部が前記ブレーキパッドの側面を一定の荷重で加圧して離隔するように、ブレーキパッドの側面を支持するように設けられることを特徴とする請求項１に記載のドラッグが縮小するブレーキキャリパ用パッドライナ。
【請求項９】
前記本体の中間部分には、「Ｕ」字に折曲げられて形成され、ブレーキパッドの側面に固定されるパッド固定部が形成されることを特徴とする請求項１に記載のドラッグが縮小するブレーキキャリパ用パッドライナ。
【発明の詳細な説明】
【技術分野】
【０００１】
本発明は、ドラッグが縮小するブレーキキャリパ用パッドライナに係り、より詳しくは、車両のブレーキにおいて、ブレーキパッドをブレーキディスクと分離させるパッドライナに関するもので、制動後、ブレーキパッドがブレーキディスクと十分に分離できるように復元力を提供し、制動時に発生した異物が内部で堆積するのを防止するようにしたドラッグが縮小するブレーキキャリパ用パッドライナに関する。
【背景技術】
【０００２】
車両に適用されるブレーキのうち、図１に示すように、車輪と共に回転するブレーキディスク１２をブレーキパッド１４が把持して車輪が停止されるようにするディスクタイプのブレーキがある。
すなわち、図２に示すように、運転者がブレーキペダルを操作して発生する油圧が、キャリパ１３の内部に装着されたピストン１５を加圧し、ピストン１５がキャリパ１３の内部に設けられたブレーキパッド１４をブレーキディスク１２に押し出す。ピストン１５によって作動したブレーキパッド１４は、キャリパ１３の内部で同じ車軸１１に連結された車輪と共に回転するブレーキディスク１２を把持することにより、ブレーキパッド１４とブレーキディスク１２との間の摩擦力によって車両の回転が停止するようにする。
【０００３】
一方、制動が完了すると、ピストン１５が元の位置に復元しながら、ブレーキパッド１４がブレーキディスク１２から十分に分離されて、ブレーキパッド１４とブレーキディスク１２との間にギャップが形成され、車輪がブレーキパッド１４とブレーキディスク１２との接触による抵抗を受けずに回転することができる。
しかし、ブレーキパッド１４の復元力が十分でなく、ブレーキディスク１２のランアウトまたは厚さの変化に応じたドラッグ（ｄｒａｇ）、すなわち、ブレーキディスク１２の回転をブレーキパッド１４が妨害する現象が常に存在する。
このようなドラッグ現象を防止するために、キャリパ１３の内部には、図３または図４に示すように、一種のスプリングのような役割を果たすパッドライナ１２１、１２２が設けられ、制動のための油圧が除去されると、ブレーキパッド１４がブレーキディスク１２から十分に分離できるようにする。
【０００４】
しかし、このような従来技術に係るパッドライナ１２１、１２２は、キャリパ１３から離脱してブレーキディスク１２と干渉を引き起こし、あるいは、制動動作または腐食によって発生する異物を外部に排出することができない問題がある。
例えば、図３に示すようなパッドライナ１２１は、ブレーキパッド１４を一定の荷重で支持して、ブレーキパッド１４に復元力を提供する。このために、キャリパ１３の内部にクリップ形態で固定されるか、上部に固定突起が形成されてキャリパ１３に結合されるが、組立が十分に行われない場合、離脱してブレーキディスク１２と干渉を引き起こすことがある。
また、図４に示すようなパッドライナ１２２は、キャリパ１３のブレーキパッド１４の復元力が倍加されるように、パッドライナ１２２に弾性部１２２ａを形成しているが、このようなパッドライナ１２２は、弾性部１２２ａに異物が堆積すると、制動時、パッド１４がブレーキディスク１２を加圧せず、制動力を十分に発揮することができない問題を抱えている。
【先行技術文献】
【特許文献】
【０００５】
【特許文献１】特開２０１０−１１２４２４号公報
【発明の概要】
【発明が解決しようとする課題】
【０００６】
本発明は、上記の問題を解決するためになされたものであって、制動が完了すると、ブレーキパッドがブレーキディスクと十分に離隔するように復元力を提供して、ブレーキパッドとブレーキディスクとの干渉による駆動抵抗を減少できるドラッグが縮小するブレーキキャリパ用パッドライナを提供することを目的とする。
本発明の他の目的は、別の固定構造がなくても、ブレーキキャリパの内部に装着された後、キャリパから離脱するのを防止できるドラッグが縮小するブレーキキャリパ用パッドライナを提供することである。
本発明のさらに他の目的は、制動によって発生する異物、または腐食によって発生する異物が外部に容易に排出できるようにしたドラッグが縮小するブレーキキャリパ用パッドライナを提供することである。
【課題を解決するための手段】
【０００７】
上記目的を達成するための本発明によるドラッグが縮小するブレーキキャリパ用パッドライナは、車輪と共に回転するブレーキディスクの一部を収容するキャリパと、ブレーキペダルが操作されると前記キャリパの内部に前記ブレーキディスクの両面をそれぞれ加圧するように設けられるブレーキパッドと、を備えた車両のブレーキにおいて、前記キャリパの内部に設けられ、前記ブレーキパッドが離隔するように弾性力を提供するパッドライナであって、前記パッドライナは、前記パッドライナから傾斜した状態で延びて形成され、前記ブレーキペダルの操作が完了すると、前記ブレーキパッドを前記ブレーキディスクから離隔するように、前記ブレーキパッドの端部に傾斜して接する弾性部を含み、前記パッドライナは、本体と、前記本体から延びて形成され、前記本体と離隔して配置される延長部と、を有し、前記弾性部は、前記延長部に形成され、前記本体の上端と前記延長部の上端とを連結する連結部が設けられることを特徴とする。
【００１０】
前記延長部は、前記連結部において前記パッドライナの長手方向の両端に隣接した部位にそれぞれ形成されることを特徴とする。
【００１１】
前記弾性部は、前記延長部から前記延長部と定められた角度で傾斜して形成されることを特徴とする。
【００１２】
前記弾性部は、前記延長部において前記パッドライナの外側から内側にいくほど、前記延長部とさらに離隔するように傾斜して形成されることを特徴とする。
【００１３】
前記弾性部は、前記延長部を前記パッドライナの幅方向に切開して形成されることを特徴とする。
【００１４】
前記弾性部は、前記延長部の中間に「Ｕ」字状の溝を形成し、その中心部分を傾斜するように曲げて形成されることを特徴とする。
【００１５】
前記延長部は、前記延長部の上端から前記延長部の下端に向かって、前記本体と定められた間隔で離隔して設けられることを特徴とする。
【００１６】
前記延長部は、前記延長部が前記ブレーキパッドの側面を一定の荷重で加圧して離隔するように、ブレーキパッドの側面を支持するように設けられることを特徴とする。
【００１７】
前記本体の中間部分には、「Ｕ」字に折曲げられて形成され、ブレーキパッドの側面に固定されるパッド固定部が形成されることを特徴とする。
【発明の効果】
【００１８】
このような構成を有する、本発明に係るドラッグが縮小するブレーキキャリパ用パッドライナによれば、弾性部が常に、ブレーキパッドがブレーキディスクと離隔する方向にブレーキパッドに弾性力を提供するため、制動が完了した後、油圧が除去されると、ブレーキパッドをブレーキディスクと十分に離隔させることにより、ブレーキパッドとブレーキディスクとの干渉によるドラッグ現象を防止できる。
また、パッドライナにおいて、本体と延長部が間隔をおいて配置されており、その間に形成された空間が下部に開放されていて、走行や制動動作によって発生する異物、腐食によって発生した異物を外部に容易に排出させることにより、パッドライナの内部に異物が積もり、制動動作時に機能障害が発生するのを防止できる。
同時に、パッドライナの上側延長部は、パッドの側面を支持する構造を含んでいて、延長部がパッドの側面を支持する力の反力でパッドライナの離脱が防止される。これによって、別の固定構造を追加しなくても、パッドライナを固定することができ、組立不良時にディスクとの干渉を防止し、組立が容易となる。
【図面の簡単な説明】
【００１９】
【図１】通常のディスクタイプのブレーキを示す部分切開斜視図である。
【図２】図１のブレーキの作動原理を示す平面図である。
【図３】従来技術の一例によるパッドライナを示す斜視図である。
【図４】従来技術の他の例によるパッドライナを示す斜視図である。
【図５】図４のパッドライナとパッドの設置関係を示す斜視図である。
【図６】本発明に係るドラッグが縮小するブレーキキャリパ用パッドライナを示す斜視図である。
【図７】本発明に係るドラッグが縮小するブレーキキャリパ用パッドライナの側面図である。
【図８】本発明に係るドラッグが縮小するブレーキキャリパ用パッドライナとパッドの設置関係を示す斜視図である。
【図９】油圧の作動による復元力を示す概略図である。
【図１０】油圧の作動解除による復元力を示す概略図である。
【図１１】本発明に係るドラッグが縮小するブレーキキャリパ用パッドライナがブレーキパッドを支持する構造を示す概略図である。
【発明を実施するための形態】
【００２０】
以下、添付した図面を参照して、本発明に係るドラッグが縮小するブレーキキャリパ用パッドライナについて詳細に説明する。
本発明に係るドラッグが縮小するブレーキキャリパ用パッドライナは、車輪と共に回転するブレーキディスク１２の一部を収容するキャリパ１３と、ブレーキペダルが操作されると、キャリパ１３の内部にブレーキディスク１２の両面をそれぞれ加圧するように設けられるブレーキパッド１４と、キャリパ１３の内部に設けられ、ブレーキパッド１４が離隔するように弾性力を提供するパッドライナ２０とを含む車両のブレーキにおいて、パッドライナ２０は、パッドライナ２０から傾斜した状態で延びて形成され、ブレーキペダルの操作が完了すると、ブレーキパッド１４をブレーキディスク１２から離隔するように、ブレーキパッド１４の端部に傾斜して接する弾性部２４を含む。
【００２１】
図６に示すように、本発明に係るドラッグが縮小するブレーキキャリパ用パッドライナは、本体２１と、本体２１から延びる延長部２２と、端部が延長部２２に傾斜した状態で取り付けられる弾性部２４とからなる。
本体２１には、ドラッグが縮小するブレーキキャリパ用パッドライナにおいて、他の構成要素が形成される。例えば、本体２１から延長部２２が延びて形成される。本体２１の中間には、ブレーキパッド１４とパッドライナ２０が結合されるように、「Ｕ」字状に折曲げられて形成されたパッド固定部２１ａなどが設けられてもよい。
延長部２２は、本体２１の上端から延び、本体２１と定められた距離だけ離隔して配置される。
連結部両端の延長部２２は、延長部２２の上端が本体２１の上端と連結部２３を介して連結されている。本体２１は「Ｕ」字断面をなし、連結部２３、および延長部２２は延長部２２の上端は本体２１の上端と連結部２３を介して連結される。延長部２２は、連結部２３から本体２１の１側で下向きに延びて、延長部２２は本体２１と定められた間隔だけ離隔して形成される。
【００２２】
特に、延長部２２と本体２１は、配置された空間において下部は開放されており、延長部２２と本体２１との間に異物が流入しても直ちに排出されるようにして、異物の堆積が防止できるようになっている。
同時に、延長部２２は、連結部２３の長手方向の両端に隣接した部位にのみ形成され、中間部分には形成されない。本体２１において中間部分は、ブレーキディスク１２が設けられて回転する部位であるので、本体２１の中間部分には延長部２２が形成されないように、連結部２３の両端に隣接した部位にのみ形成され、ブレーキパッド１４の側面を支持するようにする。
延長部２２は、制動および振動などによるパッドライナ２０の離脱を防止できるように、パッドライナ２０の上側でブレーキパッド１４を支持してその反力を発生させる役割を果たす。
弾性部２４は、延長部２２の一側から傾斜した状態で延びて形成される。弾性部２４は、一端は延長部２２に連結され、他端は自由端で、延長部２２に固定されない。したがって、弾性部２４は、延長部２２と定められた角度で傾斜して形成されることにより、弾性力を発揮することができる。
【００２３】
弾性部２４は、延長部２２をパッドライナ２０の幅方向に切開して形成されてもよい。すなわち、弾性部２４は、延長部２２の中間に「Ｕ」字状の溝を形成し、その中心部分を傾斜するように曲げて形成される。したがって、延長部２２は、延長部２２の上端から弾性部２４を取り囲むように形成される。
弾性部２４は、パッドライナ２０の外側にその一端が位置し、パッドライナ２０の内部にその他端が位置する。特に、弾性部２４は、ブレーキパッド１４の端部と傾斜した状態で接触するため、ブレーキパッド１４に弾性力を作用させることができる。
弾性部２４は、キャリパ１３の内部に設けられた時、ブレーキパッド１４がブレーキディスク１２から離隔する弾性部２４が形成される。
【００２４】
このような、本発明に係るドラッグが縮小するブレーキキャリパ用パッドライナは、中間にブレーキディスク１２が回転できるように空間が形成され、空間を中心として左右対称構造に形成される。
また、パッドライナ２０は、ブレーキパッド１４の両端にそれぞれ設けられる。すなわち、車両のブレーキのキャリパ１３の内部において、ブレーキディスク１２の両面にそれぞれブレーキパッド１４が摩擦面が互いに向き合うように配置され、摩擦面がブレーキディスク１２に向かうように配置される。
したがって、１つのキャリパ１３の内部には、２つのブレーキパッド１４と、２つのパッドライナ２０とが配置される。
【００２５】
以下、このような構成を有する、本発明に係るドラッグが縮小するブレーキキャリパ用パッドライナの作用について説明する。
図９および図１０は、それぞれ制動動作時および制動解除時の状態を示すものである。
まず、図９を参照して制動動作時の状態を説明する。運転者がブレーキペダルを操作すると、キャリパ１３に油圧が伝達される。油圧は、ピストン１５をブレーキディスク１２に加圧して、ブレーキパッド１４がブレーキディスク１２を把持することにより、制動力が発生する。この時、弾性部２４とブレーキパッド１４との間にパッドライナ２０がブレーキパッド１４を復元させようとする復元力と、ピストン１５とキャリパ１３との間でシーリングするシーリング１５ａによる復元力が油圧と反対方向に作用するが、油圧の大きさがより大きいため、ブレーキパッド１４をブレーキディスク１２に圧着させて制動力が発生する。
【００２６】
図１０には、制動解除時の状態を示す。運転者がブレーキペダルを操作しなければ、ピストン１５に油圧が作用しない。この時、パッドライナ２０の弾性部２４による弾性力が、ブレーキパッド１４を復元させる復元力として作用して、ブレーキパッド１４をブレーキディスク１２から十分に離隔させる。同時に、シーリング１５ａが設けられた部位においても復元力が作用するので、パッド１４がブレーキディスク１２から十分に離隔して、ブレーキパッド１４とブレーキディスク１２との干渉によるドラッグ現象を防止する。
同時に、図７に示すように、パッドライナ２０において、延長部２２は、上端を除いた部分、すなわち、延長部２２の上端に隣接した部分から延長部２２の下端まで本体２１と間隔をおいて形成されているため、車両の走行中にブレーキの内部に異物が流入し、あるいは制動によってブレーキパッド１４またはブレーキディスク１２が摩耗しながら発生する異物が流入し、またはブレーキの部品の腐食によって発生する異物がパッドライナ２０の内部で堆積するのを防止することができる。すなわち、図７の矢印が示すように、パッドライナ２０の内部に流入した異物は、パッドライナ２０の外部に容易に排出されるため、パッドライナ２０の内部に異物は堆積しない。
【００２７】
パッドライナ２０の内部に異物が堆積するのを防止することにより、流入した異物によってパッドライナ２０がまともに作動しない機能障害を防止することができ、ブレーキの信頼性を向上させることができる。
図１１には、パッドライナ２０の離脱を防止する構造を示す。パッドライナ２０の上端部に連結された延長部２２は、パッドの側面を支持する荷重ａを発生させ、これによって発生する反力ｂは、パッドライナ２０の離脱を発生させるパッドスプリングの荷重ｃによる反力ｄで形成されるモーメントｅを減衰させて、パッドライナ２０が離脱するのを防止する。
【符号の説明】
【００２８】
１１：車軸
１２：ブレーキディスク
１３：キャリパ
１４：ブレーキパッド
１５：ピストン
１５ａ：シーリング
２０、１２１、１２２：パッドライナ
２１：本体
２１ａ：パッド固定部
２２：延長部
２３：連結部
２４：弾性部
【図１】
0006674230.tif 000002
【図２】
0006674230.tif 000003
【図３】
0006674230.tif 000004
【図４】
0006674230.tif 000005
【図５】
0006674230.tif 000006
【図６】
0006674230.tif 000007
【図７】
0006674230.tif 000008
【図８】
0006674230.tif 000009
【図９】
0006674230.tif 000010
【図１０】
0006674230.tif 000011
【図１１】
0006674230.tif 000012